(57)【要約】【課題】本発明は、録画中の放送番組の記録に要するメモリ容量が不足する場合に、事前に報知する機能を有する携帯用録画装置を提供することを目的とする。【解決手段】放送番組を録画する機能を備える携帯電話機１００であって、放送番組を受信するチューナ部１１０と、受信した放送番組を記録するためのメモリ１１１と、受信した放送番組を前記記録媒体に記録し、前記記録媒体への放送番組の記録中に、当該放送番組を記録終了時刻まで記録するのに要する記録所要容量を算出し、算出した記録所要容量が、前記記録媒体における、算出時点のメモリ残量より大きいか否かを判定するシステム制御部１１３と、前記記録所要量が前記メモリ残量より大きい場合に、報知をするスピーカ１０７とを備える【選択図】 図１
2005057700.tif 000002
【特許請求の範囲】
【請求項１】
放送番組を録画する機能を備える携帯用録画装置であって、
放送番組を受信する放送受信手段と、
記録媒体と、
受信した放送番組を前記記録媒体に記録する記録手段と、
前記記録媒体への放送番組の記録中に、当該放送番組を記録終了時刻まで記録するのに要する記録所要容量を算出する算出手段と、
算出した記録所要容量が、前記記録媒体における、算出時点のメモリ残量より大きいか否かを判定するメモリ残量判定手段と、
前記記録所要容量が前記メモリ残量より大きい場合に、報知をする報知手段と
を備えることを特徴とする携帯用録画装置。
【請求項２】
前記携帯用録画装置は、前記放送番組の記録中に、当該放送番組とは無関係のデータである非放送データの前記記録媒体への記録があるか否かを監視する非放送データ記録監視手段を備え、
前記算出手段は、前記記録がある毎に、前記記録があった時点から記録終了時刻までの前記記録所要容量を算出する
ことを特徴とする請求項１記載の携帯用録画装置。
【請求項３】
前記携帯用録画装置は、基地局から送信される通信データを受信する通信データ受信手段を備え、
前記非放送データには、受信した通信データが含まれる
ことを特徴とする請求項２記載の携帯用録画装置。
【請求項４】
前記受信手段は、前記放送番組とともに、当該放送番組の終了予定時刻を示す番組情報を受信し、
前記記録所要量算出手段は、
受信した番組情報の示す前記終了予定時刻を記録終了時刻に設定する記録終了時刻設定手段と、
記録終了時刻を設定する毎に、記録開始から記録終了時刻までの記録時間を算出する記録時間算出手段と、
算出した記録時間、直前に算出した記録時間より延長されたか否かを判定する記録延長判定手段とを有し、
前記記録所要量算出手段は、記録時間が延長された場合に、判定した時点から設定した記録終了時刻までの前記記録所要容量を算出する
ことを特徴とする請求項１記載の携帯用録画装置。
【請求項５】
前記携帯用録画装置はさらに、
ディスプレイと、
前記記録媒体に記録されている各データと、当該データが放送番組を構成する放送データであるか否かを示すデータ種別情報と、当該データが使用する使用メモリ容量との対応関係を示すメモリ管理テーブルを記録している記録手段と、
前記メモリ残量と前記記録所要容量とに基づいて、メモリ不足容量を算出する不足容量算出手段と
前記メモリ残量が、前記記録所要容量より小さい場合に、前記メモリ管理テーブルから、使用メモリ容量が前記メモリ不足容量以上で、データ種別情報が放送データでないことを示すデータを特定し、特定したデータを前記ディスプレイに表示する表示手段と
を備えることを特徴とする請求項１〜４の何れかに記載の携帯用録画装置。
【請求項６】
前記携帯用録画装置はさらに、前記表示手段の特定したデータの中から前記記録媒体から削除するデータの選択指示をユーザーから受取る指示受取手段と、
選択指示されたデータのメモリ使用領域を解放するメモリ解放手段と
を備えることを特徴とする請求項４記載の携帯用録画装置。
【請求項７】
前記携帯用録画装置はさらに、
ディスプレイと、
前記記録媒体に記録されている各データと、ユーザーによる当該データの削除可否の指定を示す指定情報と、当該データが使用する使用メモリ容量との対応関係を示すメモリ管理テーブルを記録している記録手段と、
前記メモリ残量と前記記録所要量とに基づいて、メモリ不足容量を算出する不足容量算出手段と
前記メモリ残量が、前記記録所要量より小さい場合に、前記メモリ管理テーブルから、使用メモリ容量が前記メモリ不足容量以上で、指定情報が削除可を指定するデータを特定し、特定したデータを前記ディスプレイに表示する表示手段と
を備えることを特徴とする請求項１〜４の何れかに記載の携帯用録画装置。
【請求項８】
前記携帯用録画装置はさらに、前記表示手段の特定したデータの中から前記記録媒体から削除するデータの選択指示をユーザーから受取る指示受取手段と、
選択指示されたデータのメモリ使用領域を解放するメモリ解放手段と
を備えることを特徴とする請求項７記載の携帯用録画装置。
【請求項９】
前記報知手段は、警告音を発生するか、発光するか、バイブレーションするかの何れかにより、報知をし、さらに、前記メモリ残量に応じてその強度を変更する
ことを特徴とする請求項１〜８の何れかに記載の携帯用録画装置。
【請求項１０】
前記放送番組は、デジタル放送の放送番組である
ことを特徴とする請求項１〜９の何れかに記載の携帯用録画装置。
【発明の詳細な説明】
【技術分野】
【０００１】
本発明は、放送番組の録画機能を備えた携帯用録画装置に関し、特に、放送番組の録画時におけるメモリ残量を監視する技術に関する。
【背景技術】
【０００２】
近年、通信技術の技術進歩の急速な進展により、通信速度の高速化が進み、携帯電話機のような通信端末を用いて、インターネットに接続し、インタ−ネットを介してデータサイズの大きい動画の配信を受けることが可能となっている。
さらに、「ＩＭＴ−２０００」（International Mobile Telecommunication 2000）規格に基づく次世代携帯電話機においては、２００３年末から放送が開始される予定の地上波デジタル放送の受信が可能となる。このデジタル放送受信可能な携帯電話機としては、特許文献１に技術開示されている。
【０００３】
これにより、上記携帯電話機のユーザーは、屋外において、デジタル放送番組を視聴したり、録画したりすることが可能になる。
【特許文献１】特開2003-153111
【発明の開示】
【発明が解決しようとする課題】
【０００４】
しかしながら、携帯電話機においてデジタル放送番組の録画を行う場合、携帯電話機に搭載されているメモリの容量が通常のデジタル放送録画装置に比べると小さく、又、デジタル放送の放送番組の録画中に、データサイズの大きい添付ファイル付きメールの受信や動画のダウンロードなどが行われることがあるため、ユーザーが気づかないうちに、メモリ容量が録画途中で不足して放送番組の途中で録画が終了してしまうという事態が頻繁に発生することが予測される。
【０００５】
そこで、本発明は、上記の問題に鑑みてなされたものであり、録画中の放送番組の記録に要するメモリ容量が不足する場合に、ユーザーにその旨を事前に報知する機能を有する携帯用録画装置を提供することを目的とする。
【課題を解決するための手段】
【０００６】
上記課題を解決するために、本発明は、放送番組を録画する機能を備える携帯用録画装置であって、放送番組を受信する放送受信手段と、記録媒体と、受信した放送番組を前記記録媒体に記録する記録手段と、前記記録媒体への放送番組の記録中に、当該放送番組を記録終了時刻まで記録するのに要する記録所要容量を算出する算出手段と、算出した記録所要容量が、前記記録媒体における、算出時点のメモリ残量より大きいか否かを判定するメモリ残量判定手段と、前記記録所要容量が前記メモリ残量より大きい場合に、報知をする報知手段とを備える。
【発明の効果】
【０００７】
本発明は、上記構成を備えることにより、録画中の放送番組の記録に要するメモリ容量が不足する場合に、事前にそのことを検出して、ユーザーに報知することができるので、ユーザーはメモリ不足で録画が途中で終了してしまう前に、不要なデータを削除することにより、必要なメモリ容量を確保するための措置をとることができる。
ここで、前記携帯用録画装置は、前記放送番組の記録中に、当該放送番組とは無関係のデータである非放送データの前記記録媒体への記録があるか否かを監視する非放送データ記録監視手段を備え、前記算出手段は、前記記録がある毎に、前記記録があった時点から記録終了時刻までの前記記録所要容量を算出することとしてもよい。
【０００８】
これにより、放送番組の録画中に、当該放送番組以外のデータが記録媒体に記録されたことにより、記録媒体に記録できるメモリ容量に変動が生じ、録画中の放送番組の記録に要するメモリ容量が不足することが予測される場合に、そのことを事前に検出し、ユーザーに報知することができるので、ユーザーは、報知があるまで、メモリ不足の不安を抱くことなく、放送番組の録画中に他のデータのダウンロードを行うことができる。
【０００９】
ここで、前記携帯用録画装置は、基地局から送信される通信データを受信する通信データ受信手段を備え、前記非放送データには、受信した通信データが含まれることとしてもよい。
これにより、放送番組の録画中に動画データや画像データなどのデータサイズの大きいデータを含むメールが受信されて記録媒体に記録されたり、ウェブサーバから動画データや画像データやプログラムなどがダウンロードされ、記録媒体に記録されたりすることにより、録画開始後に記録媒体のメモリ容量に変動が生じ、録画中の放送番組の記録に要するメモリ容量が不足することが予測される場合に、そのことを事前に検出し、ユーザーに報知することができるので、ユーザーは、報知があるまで、メモリ不足の不安を抱くことなく、放送番組の録画中にメールなどの通信データを受信することができる。
【００１０】
ここで、前記受信手段は、前記放送番組とともに、当該放送番組の終了予定時刻を示す番組情報を受信し、前記記録所要量算出手段は、受信した番組情報の示す前記終了予定時刻を記録終了時刻に設定する記録終了時刻設定手段と、記録終了時刻を設定する毎に、記録開始から記録終了時刻までの記録時間を算出する記録時間算出手段と、
算出した記録時間、直前に算出した記録時間より延長されたか否かを判定する記録延長判定手段とを有し、前記記録所要量算出手段は、記録時間が延長された場合に、判定した時点から設定した記録終了時刻までの前記記録所要容量を算出することとしてもよい。
【００１１】
これにより、放送番組の録画中に、当該放送番組が延長された場合においても、それに応じて録画時間を自動的に延長できるとともに、録画時間の延長により、録画中の放送番組の記録に要するメモリ容量が不足することが予測される場合に、そのことを事前に検出し、ユーザーに報知することができるので、ユーザーは、録画時間延長された事を知り、メモリ容量の確保等の必要な措置をとることができる。
【００１２】
ここで、前記携帯用録画装置はさらに、ディスプレイと、前記記録媒体に記録されている各データと、当該データが放送番組を構成する放送データであるか否かを示すデータ種別情報と、当該データが使用する使用メモリ容量との対応関係を示すメモリ管理テーブルを記録している記録手段と、前記メモリ残量と前記記録所要容量とに基づいて、メモリ不足容量を算出する不足容量算出手段と、前記メモリ残量が、前記記録所要容量より小さい場合に、前記メモリ管理テーブルから、使用メモリ容量が前記メモリ不足容量以上で、データ種別情報が放送データでないことを示すデータを特定し、特定したデータを前記ディスプレイに表示する表示手段とを備えることとしてもよい。
【００１３】
これにより、録画中の放送番組の記録に要するメモリ容量が不足することが予測される場合に、ユーザーがメモリ容量の不足を解消するために放送番組の録画データ以外のデータを優先的に削除することができるように、削除データの候補をユーザーに提示することができるので、ユーザーは、ディスプレイの表示をみて削除すべきデータを容易に選択することができる。
【００１４】
ここで、前記携帯用録画装置はさらに、前記表示手段の特定したデータの中から前記記録媒体から削除するデータの選択指示をユーザーから受取る指示受取手段と、選択指示されたデータのメモリ使用領域を解放するメモリ解放手段とを備えることとしてもよい。
これにより、ユーザーは、放送番組の録画データ以外のデータの中から、メモリ容量の不足を解消するためのデータを選択し、そのデータのメモリ使用領域を解放することができるので、ユーザーは、容易にメモリ不足を解消して、録画中の放送番組を予定した録画終了時刻まで録画することができる。
【００１５】
ここで、前記携帯用録画装置はさらに、ディスプレイと、前記記録媒体に記録されている各データと、ユーザーによる当該データの削除可否の指定を示す指定情報と、当該データが使用する使用メモリ容量との対応関係を示すメモリ管理テーブルを記録している記録手段と、前記メモリ残量と前記記録所要量とに基づいて、メモリ不足容量を算出する不足容量算出手段と、前記メモリ残量が、前記記録所要量より小さい場合に、前記メモリ管理テーブルから、使用メモリ容量が前記メモリ不足容量以上で、指定情報が削除可を指定するデータを特定し、特定したデータを前記ディスプレイに表示する表示手段とを備えることとしてもよい。
【００１６】
これにより、録画中の放送番組の記録に要するメモリ容量が不足することが予測される場合に、ユーザーがメモリ容量の不足を解消するために、削除可能であると予め指定しているデータを優先的に削除することができるように、削除データの候補をユーザーに提示することができるので、ユーザーは、ディスプレイの表示をみて削除すべきデータを容易に選択することができる。
【００１７】
ここで、前記携帯用録画装置はさらに、前記表示手段の特定したデータの中から前記記録媒体から削除するデータの選択指示をユーザーから受取る指示受取手段と、選択指示されたデータのメモリ使用領域を解放するメモリ解放手段とを備えることとしてもよい。
これにより、ユーザーは、予め削除可能であると指定しているデータの中から、メモリ容量の不足を解消するためのデータを選択し、そのデータのメモリ使用領域を解放することができるので、ユーザーは、容易にメモリ不足を解消して、録画中の放送番組を予定した録画終了時刻まで録画することができる。
【００１８】
ここで、前記報知手段は、警告音を発生するか、発光するか、バイブレーションするかの何れかにより、報知をし、さらに、前記メモリ残量に応じてその強度を変更することとしてもよい。
これにより、ユーザーは、報知の強度により、メモリ残量レベルがどれくらいかを知ることができる。
【発明を実施するための最良の形態】
【００１９】
＜構成＞
本発明の実施の形態における携帯用録画装置は、デジタル放送受信及び録画機能を備えた携帯電話機である。
図１は、本発明の実施の形態における携帯電話機１００の構成を示す機能ブロック図である。携帯電話機１００は、図１に示す通り、携帯電話用アンテナ１０１、通信部１０２、マイク１０３、映像データ出力処理部１０４、音声データ出力処理部１０５、表示部１０６、スピーカ１０７、入力操作部１０８、デジタル放送受信用アンテナ１０９、チューナ部１１０、メモリ１１１、リンガ１１２、制御部１１３、時刻計測部１１４から構成され、ウェブと接続可能な携帯電話機である。
【００２０】
通信部１０２は、携帯電話用アンテナ１０１を介して、基地局から入力された通信電波を通信データに復調処理して、システム制御部１１３に出力し、システム制御部１１３より入力される通信データを変調処理し、通信電波としてアンテナ１０１を介して送信する。
ここで、「通信データ」とは、通話の音声データ、メール送信された文字データ、画像データ、動画データ、音声データ、ウェブサーバからダウンロードされた画像データ、音声データ、動画データ、プログラムなどのことをいう。
【００２１】
マイク１０３は、ユーザーから入力された通話音声を音声信号としてシステム制御部１１３に出力する。
映像データ出力処理部１０４は、システム制御部１１３より入力された映像データをデコードして、アナログ信号に変換して表示部１０５に出力する。
音声データ出力処理部１０５は、システム制御部１１３より入力された映像データをデコードして、音声アナログ信号に変換してスピーカ１０７に出力する。
【００２２】
表示部１０６は、映像データ出力処理部１０４から入力された映像アナログ信号に基づいて映像を表示する。
スピーカ１０７は、音声データ出力処理部１０５より入力された音声アナログ信号に基づいて音声を発生する。
入力操作部１０８は、テンキー、電源入力キー、通話キー、通話終了キー等各種の入力キーを有し、入力キーの入力を介してユーザーからの各種指示（例えば、デジタル放送受信指示、デジタル放送記録開始及び終了指示、通話開始及び終了指示、後述する、メモリ１１１から削除するデータ候補の選択指示など）を受け付け、受け付けたユーザー指示をシステム制御部１１３に出力する。
【００２３】
チューナ部１１０は、デジタル放送受信用アンテナを介して受信されたデジタル放送の放送信号をトランスポートストリーム（以下、「ＴＳ」という。）に復調してシステム制御部１１３に出力する。
ここでいうデジタル放送 は、ＤＶＢ（Ｄｉｇｉｔａｌ Ｖｉｄｅｏ Ｂｒｏａｄｃａｓｔｉｎｇ）及び又はＡＲＩＢ（電波産業会）の規格による放送であり、ＭＰＥＧ方式のストリーム上に存在する番組記述情報であるイベント情報テーブル（以下、「ＥＩＴ」という。 ）を使用して放送番組の番組情報を受信側に送ることができるＭＰＥＧ方式のデジタル放送 である。
【００２４】
ＥＩＴは、ＳＩ（Service Information：サービス情報）の一種であり、放送チャンネルを示す情報、放送番組名を示す情報、放送開始及び終了予定時刻を示す情報などの情報を含み、ＥＩＴは、一定周期で放送番組を構成する映像データ及び音声データを含むＴＳに多重化されて送信される。これにより、受信側では、ＴＳからＥＩＴを随時、抽出することにより、放送終了予定時刻に変更が有った場合、そのことを検知することができる。
【００２５】
なお、実際にはＥＩＴには、放送終了予定時刻は、直接記述されておらず、放送開始時刻と、放送番組の放送時間を示す放送継続時間が記述されており、放送開始時刻と放送継続時間とをＥＩＴから取得することにより、放送終了予定時刻を算出することができる。
メモリ１１１は、メモリ管理テーブル、警告音量レベル指示テーブル、ウェブサーバからダウンロードされた動画データや写真を構成する画像データ、他の通信端末から送信された、メール文書を構成する文字データ、動画データ、画像データ、録画されたデジタル放送番組を構成する映像データ及び音声データ、警告音声データなどの各種データを記憶している。
【００２６】
ここで、「メモリ管理テーブル」とは、メモリに記憶されている各種データについての、記録開始日時、記録終了日時、メモリ解放有無判定フラグ、削除可否判定フラグ、データ種別判定フラグ、使用メモリ容量、記録開始及び終了アドレス、さらに、記憶されているデータがデジタル放送番組の録画データである場合には、当該データの放送チャネルを示すテーブルのことをいい、各データのメモリ１１１への記憶時にシステム制御部１１３によって記録される。
【００２７】
又、「メモリ解放有無判定フラグ」とは、当該データについての、記録開始アドレスと記録終了アドレスによって特定される、メモリ１１１における記憶領域に他のデータの上書きが可能であるか否かを識別するためのフラグのことをいい、上書きが可能である場合は、メモリ解放有無判定フラグは「有」を示し、可能でない場合は、メモリ解放有無判定フラグは「無」を示す。メモリ解放有無判定フラグは、システム制御部１１３によって、当該データ記録時には、「無」と設定され、ユーザーからの当該データ削除指示があると、「有」に設定される。
【００２８】
又、「削除可否フラグ」とは、当該データを削除できるか否かについてのユーザーの指示を示すフラグのことをいい、削除できる旨の指示である場合には、削除可否フラグは、「可」を示し、削除できない旨の指示である場合には、削除可否フラグは、「不可」を示す。削除可否フラグは、システム制御部１１３によって、当該データ記録時にユーザー指示に応じたフラグが設定される。
【００２９】
又、「データ種別フラグ」とは、当該データがデジタル放送番組の録画データであるか否か識別するためのフラグのことをいい、録画データである場合には、データ種別フラグは「放送」を示し、録画データでない場合には、データ種別フラグは「非放送」を示す。
データ種別フラグは、システム制御部１１３によって、当該データ記録時に、設定される。具体的には、システム制御部１１３によって、当該データに関する放送チャネルがメモリ管理テーブルに記録されている場合には、「放送」を示すフラグが設定され、記録されていない場合には、「非放送」を示すフラグが設定される。
【００３０】
又、メモリ管理テーブルには、メモリ１１１における未使用のメモリ領域を示す空領域のメモリ容量（メモリ管理テーブルの使用メモリ容量の欄に記述される。）、メモリ領域（メモリ管理テーブルの記録開始及び終了アドレスの欄に記述される。）、及びメモリ解放有無判定フラグ（「有」が設定される。）が、システム制御部１１３によって、記録される。空領域のメモリ容量及び記憶領域は、各種データがメモリ１１１に記録される毎に、システム制御部１１３によって算出され、更新される。図２〜図４は、メモリ管理テーブルの具体例を示す。
【００３１】
リンガ１１２は、外部から着信があった時に、システム制御部１１３からの指示に応じて鳴動する。
又、「警告音量レベル指示テーブル」とは、メモリ１１１におけるメモリ残量率の範囲と警告音量レベルとの対応関係を示すテーブルのことをいう。
又、「メモリ残量率」とは、メモリ１１１の全体のメモリ容量に対する、メモリ解放有無判定フラグが「有」を示すメモリ空き容量（上書きが可能なメモリ容量を含む。）の比率を百分率で示した値のことをいう。図５は、警告音量レベル指示テーブルの具体例を示す。
【００３２】
時刻計測部１１４は、時刻を計測し、システム制御部１１３から計測した時刻の出力指示を受け取ると、当該時刻をシステム制御部１１３に出力する。
システム制御部１１３は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行う。例えば、以下に示す処理を行う。
＜データ分離処理＞
システム制御部１１３は、チューナ部１１０より入力されたＴＳから映像データと音声データとＥＩＴを、各データを構成するＴＳパケットに付与されたＰＩＤに基づいて分離し、映像データを映像データ出力処理部１０４に、音声データを音声データ出力処理部１０５に出力し、ＥＩＴをメモリ１１１に記憶させ、さらに、通信部１０２より入力された、文字データや画像データなどの映像データを映像データ出力処理部１０４に、音声データを音声データ出力処理部１０５に出力する。
＜メモリ使用状態管理処理＞
システム制御部１１３は、メモリ管理テーブルを管理することにより、メモリ１１１におけるメモリ使用状態を監視する。
【００３３】
具体的には、各種データのメモリ１１１への記録を終了する毎に、当該データの、記録開始日時、記録終了日時、メモリ解放有無判定フラグ、削除可否判定フラグ、データ種別判定フラグ、使用メモリ容量、記録開始及び終了アドレス、さらに、記録するデータがデジタル放送番組の録画データである場合には、当該データの放送チャネルをメモリ管理テーブルに記録し、メモリ管理テーブルに記録されている各データのメモリ使用容量及び記録開始及び終了アドレスに基づいて、メモリ１１１の空領域のメモリ容量及びメモリ領域を更新し、メモリ管理テーブルにおいて、メモリ解放有無判定フラグが「有」を示すデータ又は空領域の使用メモリ容量の総量をメモリ残量として算出する。
【００３４】
具体例をあげると、メモリ１１１の使用状態が図２に示すメモリ管理テーブルの示す使用状態である場合に、新たに非放送データである「写真Ｂ」をメモリ１１１に記録した場合には、システム制御部１１３は、メモリ管理テーブルに当該データの、記録開始日時、記録終了日時、メモリ解放有無判定フラグ、削除可否判定フラグ、データ種別判定フラグ、使用メモリ容量、記録開始及び終了アドレスを記録し、さらに、空領域のメモリ使用容量（２００ＭＢ）を当該データによって新たに使用された分（１００ＭＢ）だけ減算し１００ＭＢとし、又、空領域のメモリ領域のうち、記録開始アドレス４５，０００から記録終了アドレス４９,９９９までのメモリ領域が当該データによって使用されたので、空領域のメモリ領域を記録開始アドレス５０,０００から記録終了アドレス５４，９９９までに更新して、図３に示すようにメモリ管理テーブルを更新し、図３のメモリ管理テーブルにおいて、メモリ解放有無判定フラグが「有」示すデータ又は空領域の使用メモリ容量の総量１００ＭＢをメモリ残量として算出する。
＜録画可否判定処理＞
ＲＯＭには、デジタル放送番組の記録開始後における録画可否を判定するための録画可否判定プログラムが記録されており、システム制御部１１３は、当該録画可否判定プログラムを起動して、実行することにより、以下に示す録画可否判定処理を行う。
＜動作＞
図６は、システム制御部１１３の行う録画可否判定処理の動作を示すフローチャートである。以下、図６のフローチャートを参照して、上記動作について説明する。
【００３５】
システム制御部１１３は、入力操作部１０８から受信中のデジタル放送番組の記録開始指示の入力を受取ると（ステップＳ６０１）、当該入力を受け取った時刻を、記録開始時刻として時刻計測部１１４より取得し（ステップＳ６０２）、記録開始時刻から当該デジタル放送番組の記録終了時刻までの時間を示す記録時間を初期化し（ステップＳ６０３）、チューナ部１１０より入力されたＴＳのメモリ１１１への記録を開始する（ステップＳ６０４）。
【００３６】
システム制御部１１３は、入力されたＴＳから当該デジタル放送番組の番組情報を示すＥＩＴ(Event Information Table)を抽出して、抽出したＥＩＴから当該デジタル放送番組の放送終了予定時刻を取得する（ステップＳ６０５）。
次にシステム制御部１１３は、受信中のデジタル放送番組の記録終了時刻を、取得した放送終了予定時刻に設定し（ステップＳ６０６）、他のプログラムの実行によるメモリ１１１へのデータの記録（例えば、外部のサーバからの動画データのダウンロード、メールの受信など）が有ったか否かを監視し、記録が有った場合に（ステップＳ６０７：Ｙ）、時刻計測部１１４より、現在時刻を取得し、平均メモリ記録容量（Ｖ（ＭＢ／ｓ））を算出する（ステップＳ６１０）。
【００３７】
ここで、平均メモリ記録容量とは、単位時間当たりに、受信中のデジタル放送番組を構成するＴＳパケットを、メモリ１１１へ記録するのに要するメモリ使用容量のことをいう。「ＭＢ／ｓ」の、「ＭＢ」はメガバイト、「ｓ」は秒をあらわす。以下で使用する「ＭＢ」及び「ｓ」についても同様とする。
システム制御部１１３は、記録開始時刻から、取得した現在時刻までに受信中のデジタル放送番組を構成するＴＳパケットを、メモリ１１１へ記録するのに要したメモリ使用容量と、記録開始時刻から現在時刻までに経過した時間とに基づいて平均メモリ記録容量を算出する。
【００３８】
なお、平均メモリ記録容量は、メモリ管理テーブルに記録されている録画データの記録開始日時、記録終了日時及び使用メモリ容量に基づいて算出することとしてもよい。
上記算出は、記録開始日時が直前の録画データについて算出することとしてもよいし、メモリ管理テーブルに記録されているすべての録画データについて、それぞれ算出し、その平均値を平均メモリ記録容量としてもよい。又、予め携帯電話機１００の製造者側で設定しておくこととしてもよい。
【００３９】
次に、システム制御部１１３は、ステップＳ６０６において設定した記録終了時刻と、現在時刻とに基づいて、現在時刻から記録終了時刻までの時間Ｔ（ｓ）を算出し（ステップＳ６１１）、さらに、メモリ管理テーブルに記録されている空領域を含む各種データの中で、メモリ解放有無判定フラグが「有」を示すデータの使用メモリ容量を算出することにより、メモリ残量（Ｒ（ＭＢ））を算出する（ステップＳ６１２）。
【００４０】
次に、システム制御部１１３は、ステップＳ６１０において算出した平均メモリ記録容量（Ｖ（ＭＢ／ｓ））とステップＳ６１１において算出した現在時刻から記録終了時刻までの時間Ｔ（ｓ）とに基づいて、記録終了時刻まで受信中のデジタル放送番組をメモリ１１１に録画するのに必要とするメモリ容量である概算録画メモリ容量（ＶｘＴ）を算出し、ステップＳ６１２において算出したメモリ残量（Ｒ（ＭＢ））と概算録画メモリ容量とを比較する（ステップＳ６１３）。
【００４１】
ステップＳ６１３において、メモリ残量が概算録画メモリ容量より小さい（Ｒ＜ＶｘＴ）場合（ステップＳ６１３：Ｎ）、後述する警告処理を行い（ステップＳ６１４）、時刻計測部１１４より現時時刻を取得して、現在時刻と受信中のデジタル放送番組の記録終了時刻とを比較することにより、記録終了時刻が到来したか否かを判定する(ステップＳ６１５)。
【００４２】
ステップＳ６０７において、記録が無かった場合（ステップＳ６０７：Ｎ）、ステップＳ６０６において設定した記録終了時刻とステップＳ６０２において取得した記録開始時刻とに基づいて記録時間を算出し（ステップＳ６０８）、算出した記録時間を直前に算出した記録時間（直前に算出した記録時間が無い場合には、初期化した記録時間(０時間)）とを比較することにより、記録時間が延長されたか否かを判定する（ステップＳ６０９）。
【００４３】
延長された場合（ステップＳ６０９：Ｙ）、ステップＳ６１０の処理に移行し、延長されていない場合（ステップＳ６０９：Ｎ）、ステップＳ６１５の処理に移行する。
ステップＳ６１３において、メモリ残量が概算録画メモリ容量より小さくない（Ｒ＞＝ＶｘＴ）場合（ステップＳ６１３：Ｙ）、ステップＳ６０５の処理に移行する。
ステップＳ６１５において、記録終了時刻が到来した場合（ステップＳ６１５：Ｙ）、録画可否判定処理を終了し、到来していない場合（ステップＳ６１５：Ｎ）、ステップＳ６０５の処理に移行する。
【００４４】
次にシステム制御部１１３の行う警告処理の動作について説明する。図７は、上記処理の動作を示すフローチャートである。以下、図７を参照して、上記動作について説明する。
システム制御部１１３は、メモリ１１１から警告音声データと警告音量レベル指示テーブルとメモリ管理テーブルとを読み出し、警告音声データを音声データ出力部１０５に出力し、メモリ管理テーブルに記録されている空領域を含む各データの総メモリ使用容量と図６のステップＳ６１２において算出したメモリ残量とに基づいてメモリ残量率を算出し、算出したメモリ残量の該当する範囲の警告音量レベルを特定し、スピーカ１０７に特定した警告音量レベルを指示し、音声データ出力部１０５より入力される警告音の音声アナログ信号に基づく警告音を特定した警告音量レベルで発生させ（ステップＳ７０１）、後述する削除候補リスト自動作成処理を行い（ステップＳ７０２）、自動作成処理において作成した表示データに基づいて、削除候補となるデータ名のリストと、そのメモリ使用容量と、図６において算出した概算録画メモリ容量とステップＳ６１２において算出したメモリ残量との差である不足メモリ容量とを含む、ユーザーからの削除候補からの選択指示を受け取るための選択画面を表示部１０６に表示させる（ステップＳ７０３）。
【００４５】
入力操作部１０８から、ユーザーからの削除候補の選択指示の入力が有った場合（ステップＳ７０４：Ｙ）、システム制御部１１３は、メモリ管理テーブルにおいて、選択指示されたデータ名のメモリ解放有無判定フラグを「有」に設定して、当該データ名のデータが記録されていたメモリ領域を解放し（ステップＳ７０５）、図６のステップ６１５の処理に移行する。
【００４６】
ステップＳ７０４において、入力操作部１０８から、ユーザーからの削除候補の非選択指示の入力が有った場合（ステップＳ７０４：Ｎ）、さらに、入力操作部１０８から、ユーザーのデジタル放送の記録終了指示の入力が有ったか否かを判定する（ステップＳ７０６）。
有った場合には（ステップＳ７０６：Ｙ）、警告処理を終了し、無かった場合には（ステップＳ７０６：Ｎ）、図６のステップＳ６１５の処理に移行する。
【００４７】
これにより、デジタル放送番組の録画中に、他のデータがメモリ１１１に記録され、メモリ容量に不足が生じることが予測される場合に、その旨を警告して、ユーザーに記録済みのデータの一部を事前に削除させることにより、メモリ容量の不足を解消し、デジタル放送番組の録画を放送終了まで継続することができる。
例えば、メモリ１１１の使用状態が図２のメモリ管理テーブルの示す状態である場合に、デジタル放送番組Ｅ（ここでは、放送番組Ｅの録画に２００ＭＢのメモリ容量が必要であることとする。）の録画が開始され、録画中に図３のメモリ管理テーブルが示すように、写真Ｂの記録がされたために、メモリ１１１のメモリ残量が１００ＭＢとなり、デジタル放送番組Ｅを放送終了まで録画できないことが予測される場合に、その旨を警告し、ユーザーの選択指示に基づいて、図４のメモリ管理テーブルが示すように、記録済みのデータの中から写真Ａのメモリ領域を解放することにより、放送番組Ｅの録画に必要なメモリ容量が確保され、放送番組Ｅの記録終了時刻までの録画を完了することができる。
【００４８】
次に削除候補リスト自動作成処理の動作について説明する。図８は、上記処理の動作を示すフローチャートである。以下、図８を参照して、上記動作について説明する。
システム制御部１１３は、図６の録画可否判定処理において算出した概算録画メモリ容量とステップＳ６１２において算出したメモリ残量との差である不足メモリ容量を算出し、メモリ管理テーブルを参照し（ステップＳ８０１）、データ種別が「非放送」の削除データの候補の抽出を試み（ステップＳ８０２）、抽出できた場合（ステップＳ８０３：Ｙ）、さらに抽出した削除データの候補の中から、削除可否判定フラグが「可」を示す削除データの候補の抽出を試み（ステップＳ８０５）、抽出できた場合（ステップＳ８０６：Ｙ）、さらに抽出した削除データの候補の中から、メモリ使用容量が不足メモリ容量以上の削除データの候補（以下、「削除指定候補」という。）の抽出を試み（ステップＳ８０７）、抽出できた場合（ステップＳ８０８：Ｙ）、削除指定候補のリストと、そのメモリ使用容量と、不足メモリ容量とを含み、ユーザーから削除指定候補の選択指示を受け取るための選択画面を表示する表示データを作成して図７のステップＳ７０３の処理に移行する。
【００４９】
図９（Ａ）及び（Ｂ）は、図７のステップＳ７０３において、上記の表示データに基づいて表示される選択画面の具体例を示す。まず、図９（Ａ）の選択画面が表示され、ユーザーが当該選択画面から「はい」を選択すると、図９（Ｂ）の選択画面が表示され、ユーザーが当該選択画面から「写真Ａ」を選択することにより、システム制御部１１３は、図７のステップＳ７０５の処理が行う。図９（Ａ）の選択画面において、ユーザーが「いいえ」を選択すると、システム制御部１１３は、図７のステップＳ７０６の処理を行う。
【００５０】
ステップＳ８０３において、抽出できない場合（ステップＳ８０３：Ｎ）、システム制御部１１３は、「削除データの候補が無い」旨を示す表示データを作成し（ステップＳ８０４）、図７のステップＳ７０３の処理に移行する。
図９（Ｅ）は、図７のステップＳ７０３において、上記の表示データに基づいて表示される選択画面の具体例を示す。ユーザーが「いいえ」を選択すると、システム制御部１１３は、図７のステップＳ７０６の処理を行う。
【００５１】
ステップＳ８０６において、抽出できない場合（ステップＳ８０６：Ｎ）、データ種別判定フラグが「非放送」の削除データの候補のリストと、そのメモリ使用容量と、不足メモリ容量とを含み、ユーザーから削除データの候補の選択指示を受け取るための選択画面を表示する表示データを作成し（ステップＳ８１０）、図７のステップＳ７０３の処理に移行する。
【００５２】
図９（Ａ）及び（Ｃ）は、図７のステップＳ７０３において、上記の表示データに基づいて表示される選択画面の具体例を示す。まず、図９（Ａ）の選択画面が表示され、ユーザーが当該選択画面から「はい」を選択すると、図９（Ｃ）の選択画面が表示され、ユーザーが当該選択画面から「写真Ａ」、「動画Ｃ」、「写真Ｂ」の何れかを選択することにより、システム制御部１１３は、図７のステップＳ７０５の処理が行う。図９（Ａ）の選択画面において、ユーザーが「いいえ」を選択すると、システム制御部１１３は、図７のステップＳ７０６の処理を行う。
【００５３】
ステップＳ８０８において、抽出できない場合（ステップＳ８０８：Ｎ）、ステップＳ８０５において抽出した、データ種別判定フラグが「放送」で、かつ、削除可否判定フラグが「可」の削除データの候補のリストと、そのメモリ使用容量と、不足メモリ容量とを含み、ユーザーから削除データの候補の選択指示を受け取るための選択画面を表示する表示データを作成し（ステップＳ８１１）、図７のステップＳ７０３の処理に移行する。
【００５４】
図９（Ａ）及び（Ｄ）は、図７のステップＳ７０３において、上記の表示データに基づいて表示される選択画面の具体例を示す。まず、図９（Ａ）の選択画面が表示され、ユーザーが当該選択画面から「はい」を選択すると、図９（Ｄ）の選択画面が表示され、ユーザーが当該選択画面から「写真Ａ」を選択することにより、システム制御部１１３は、図７のステップＳ７０５の処理が行う。図９（Ａ）の選択画面において、ユーザーが「いいえ」を選択すると、システム制御部１１３は、図７のステップＳ７０６の処理を行う。
【００５５】
なお、メモリ１１１には、図９（Ａ）〜図９（Ｅ）に示す各選択画面に相当する選択画面を表示するための選択画面元データ（具体的には、図９（Ａ）〜図９（Ｅ）に示す各選択画面から削除データの候補のリストと、そのメモリ使用容量と、不足メモリ容量を除いた部分を表示するための各元データ）が予め記憶されており、システム制御部１１３は、上記抽出結果に応じて、該当する元データをメモリ１１１から読み出し、当該元データと、抽出した削除データの候補のリストと、そのメモリ使用容量と、不足メモリ容量とに基づいて各選択画面を表示するための表示データを作成する。
＜補足＞
以上、本発明に係る通信端末について、実施の形態に基づいて説明したが、本発明はこれら実施の形態に限られないことは勿論である。
（１）本発明は、携帯電話機１００に限らず、携帯電話機１００と同様の構成（マイク１０３とリンガ１１２を除く構成が携帯電話機１００と同じ構成）を有するものであれば、他の携帯通信端末であってもよい。例えば、ＰＤＡ(Personal Digital Assistance)であってもよい。
（２）実施の形態における図６に示す録画可否判定処理の動作を示すフローチャートにおいて、記録終了時刻は、ステップＳ６０５において放送予定終了時刻をＥＩＴから取得する毎に当該放送終了予定時刻に設定する（ステップＳ６０６）こととしたが、記録開始時（ステップＳ６０４）にユーザーが指定することとしてもよい。この場合において、システム制御部１１３の行う録画可否判定処理の動作は、図６のフローチャートの示す動作から、ステップＳ６０５，ステップＳ６０６、ステップＳ６０８，ステップＳ６０９の処理を除いた動作となる。なお、上記の場合において、ステップＳ４０７の判定において、記録が無い場合（ステップＳ６０７：Ｎ）、ステップＳ６１５の処理に移行する。
（３）実施の形態における図７に示す警告処理の動作を示すフローチャートにおいて、メモリ残量（Ｒ（ＭＢ））が概算録画メモリ容量より小さい（Ｒ＜ＶｘＴ）場合（図６のステップＳ６１３：Ｎ）、システム制御部１１３は、警告音を特定した警告音量レベルで発生させる（ステップＳ７０１）こととしたが、警告音の発生の代わりに、特定したバイブレーション強度でバイブレーションさせることとしてもよいし、特定した発光高度で、発光させることとしてもよい。
（４）実施の形態における図７に示す警告処理の動作を示すフローチャートのステップＳ７０３の選択画面に表示する不足メモリ容量及び削除データの候補の使用メモリ容量は、ＭＢで表示したが、不足メモリ容量の代わりに、不足メモリ容量を平均メモリ記録容量で除することにより算出できる録画不能時間を、使用メモリ容量の代わりに、同様にして算出できる録画可能時間を表示することとしてもよい。
（５）実施の形態における図８に示す削除候補リスト自動作成処理の動作を示すフ
ローチャートにおいて、削除データの候補を抽出する順番は、図８のフローチャートに示す順番（ステップＳ８０２、ステップＳ８０５、ステップＳ８０７の順）に限らず、何れの順番であってもよい。例えば、ステップＳ８０５、ステップＳ８０２、ステップＳ８０７の順番に削除データの候補を抽出することとしてもよいし、他の順番で抽出することとしてもよい。
（６）又、削除データの候補を抽出する基準は、本実施の形態で用いた基準に限らず他の基準を用いることとしてもよい。例えば、記録終了時刻の古い順に順番に削除データの候補を抽出し、表示部１０６にデータ名とそのメモリ使用容量と不足メモリ容量を表示部１０６に表示し、ユーザーの選択したデータのメモリ領域を解放することとしてもよいし、メモリ１１１に記録されたデータが、記録後に再生されたか否かを判定するフラグをメモリ管理テーブルに設け、再生済みのデータを削除データの候補として抽出することとしてもよいし、メモリ使用容量の大きい順に順番に削除データの候補を抽出し、表示部１０６にデータ名とそのメモリ使用容量と不足メモリ容量を表示部１０６に表示し、ユーザーの選択したデータのメモリ領域を解放することとしてもよい。
【産業上の利用可能性】
【００５６】
携帯用録画装置において、録画中におけるメモリ不足の発生を事前に予測して、メモリ不足を抑止させる技術として利用することができる。
【図面の簡単な説明】
【００５７】
【図１】本発明の実施の形態における携帯電話機１００の構成を示す機能ブロック図である。
【図２】メモリ管理テーブルの具体例を示す。
【図３】メモリ管理テーブルの具体例を示す。
【図４】メモリ管理テーブルの具体例を示す。
【図５】警告音量レベル指示テーブルの具体例を示す。
【図６】システム制御部１１３の行う録画可否判定処理の動作を示すフローチャートである。
【図７】システム制御部１１３の行う警告処理の動作を示すフローチャートである。
【図８】削除候補リスト自動作成処理の動作を示すフローチャートである。
【図９】Ａは、選択画面の具体例を示す。  Ｂは、選択画面の具体例を示す。  Ｃは、選択画面の具体例を示す。  Ｄは、選択画面の具体例を示す。  Ｅは、選択画面の具体例を示す。
【符号の説明】
【００５８】
１００    携帯電話機
１０１    携帯電話用アンテナ
１０２    通信部
１０３    マイク
１０４    映像データ出力処理部
１０５    音声データ出力処理部
１０６    表示部
１０７    スピーカ
１０８    入力操作部
１０９    デジタル放送受信用用アンテナ
１１０    チューナ部
１１１    メモリ
１１２    リンガ
１１３    システム制御部
１１４    時刻計測部
【図１】
2005057700.tif 000003
【図２】
2005057700.tif 000004
【図３】
2005057700.tif 000005
【図４】
2005057700.tif 000006
【図５】
2005057700.tif 000007
【図６】
2005057700.tif 000008
【図７】
2005057700.tif 000009
【図８】
2005057700.tif 000010
【図９】
2005057700.tif 000011